(57)【特許請求の範囲】
【請求項１】
略円弧状パターン表示部（１１、１２）を外周部に形成するとともにこの外周部を中央部（１３、１４）から傾斜状に表面側へ隆起形成してなる目盛り盤（１０ａ、１０ｂ）と、
この目盛り盤の裏面に沿い設けられた第１導光板（２０）と、
前記目盛り盤の外周部と前記第１導光板の当該外周部に対する対応部との間に介装された第２導光板（３０）と、
回動内機（６０）から前記第１導光板及び目盛り盤の各貫通穴部（２１、１５）を通り延出する指針軸（６２）の先端部に前記目盛り盤の表面に沿い回動するように回動基部（７１）にて支持される発光指針（７０）と、
前記第１導光板の端面側において前記第２導光板の裏面側に配置されて前記第１及び第２の導光板の双方に光を入射する光源（５０、５０ａ）とを備え、
前記第２導光板は、前記目盛り盤の中央部とパターン表示部のうちパターン表示部の裏面にのみ配置されており、
前記第１及び第２の導光板の間には反射シート（４０）が介装されており、
前記第１導光板は、その入射光を前記各貫通穴部を通して前記発光指針内にその回動基部から入射し、
前記第２導光板は、その入射光を前記目盛り盤のパターン表示部に入射し、
前記発光指針は、その回動基部内への入射光に基づき発光するようにした指示計器。
【請求項２】
パターン表示部（１１、１２）を外周部に形成するとともにこの外周部を中央部（１３、１４）から傾斜状に表面側へ隆起形成してなる目盛り盤（１０ａ、１０ｂ）と、
この目盛り盤の裏面に沿い設けられた第１導光板（２０）と、
前記目盛り盤の外周部と前記第１導光板の当該外周部に対する対応部との間に介装された第２導光板（３０）と、
回動内機（６０）から前記第１導光板及び目盛り盤を通り延出する指針軸（６２）の先端部に前記目盛り盤の表面に沿い回動するように支持される発光指針（７０）と、
前記目盛り盤の裏面側に配置されて前記第１及び第２の導光板の双方に光を入射する光源（５０、５０ａ）とを備え、
前記第２導光板は、前記目盛り盤の中央部とパターン表示部のうちパターン表示部の裏面にのみ配置されており、
前記第１及び第２の導光板の間には反射シート（４０）が介装されており、
前記第１導光板は、その入射光を、前記目盛り盤の中央部及び発光指針の少なくとも一つに入射し、
前記第２導光板は、その入射光を前記目盛り盤のパターン表示部に入射するようにした指示計器。
【請求項３】
パターン表示部（１１、１２）を外周部に形成するとともにこの外周部を中央部（１３、１４）から傾斜状に表面側へ隆起形成してなる目盛り盤（１０ａ、１０ｂ）と、
この目盛り盤の裏面に沿い設けられた第１導光板（２０）と、
前記目盛り盤の外周部と前記第１導光板の当該外周部に対する対応部との間に介装された第２導光板（３０）と、
回動内機（６０）から前記第１導光板及び目盛り盤を通り延出する指針軸（６２）の先端部に前記目盛り盤の表面に沿い回動するように支持される発光指針（７０）と、
前記目盛り盤の裏面側に配置されて前記第１及び第２の導光板の双方に光を入射する光源（５０、５０ａ）と、
前記目盛り盤の裏面側に配置されて当該目盛り盤の開口部に対向する走行距離計の液晶パネル（１０ｃ）とを備え、
前記第２導光板は、前記目盛り盤の中央部とパターン表示部のうちパターン表示部の裏面にのみ配置されており、
前記第１及び第２の導光板の間には反射シート（４０）が介装されており、
前記第１導光板は、その入射光を、前記目盛り盤の中央部、発光指針及び液晶パネルの少なくとも１つに入射し、
前記第２導光板は、その入射光を前記目盛り盤のパターン表示部に入射するようにした指示計器。
【請求項４】
前記目盛り盤の中央部には透光性パターン部（１３ａ、１４ａ）が形成され、前記反射シートは前記透光性パターン部に対向して開口部（４１）を備えており、前記第１導光板はその光を前記反射シートの開口部を通して前記透光性パターン部に入射することを特徴とする請求項１乃至３のいずれか１つに記載の指示計器。
【発明の詳細な説明】
【０００１】
【産業上の利用分野】
本発明は指示計器に関する。
【０００２】
【従来の技術】
従来、この種の指示計器としては、例えば、特開平１０−３８６２６号公報に示すようなものがある。この指示計器では、目盛り盤と、発光指針と、導光板とを備えている。ここで、目盛り盤は、その外周部にて、略円弧状目盛りパターンを備えており、この目盛りパターンは、目盛り盤の貫通孔部を中心として略円弧状に形成されている。また、発光指針は、その回動基部にて、目盛り盤の貫通穴部を通り回動内機から延出する指針軸の先端部に支持されており、この発光指針は、目盛り盤の表面に沿い回動する。
【０００３】
また、この発光指針は、その回動基部にて、導光板から目盛り盤の貫通穴部を通り光を入射されて、指針部にて発光し指示表示する。導光板は目盛り盤に沿いその裏面側にて併設されており、この導光板は、その端面から光源の光を入射されて導光し、このように導光した光を、目盛り盤にその裏面から入射するとともに、目盛り盤の貫通穴部を通り発光指針の回動基部に入射する。
【０００４】
【発明が解決しようとする課題】
ところで、上記指示計器において、目盛り盤としてその外周部がその表面側に傾斜状に隆起するものを採用した場合、上記導光板内にその端面から入射する光を目盛り盤及び発光指針の双方に上述と同様に入射させるとき、目盛り盤の外周部と導光板の外周部との間に空隙が存在するために、導光板の光は、目盛り盤の外周部への入射に多く使用されてしまい、導光板内にて必要な範囲に届きにくい。換言すれば、導光板内の光は目盛り盤の中央部や発光指針の回動基部には十分には届きにくくなる。従って、目盛り盤の中央部や発光指針の発光輝度が低下してしまうという不具合が生ずる。
【０００５】
そこで、本発明は、以上のようなことに対処するため、２枚の導光板を有効に活用して、目盛り盤や発光指針への入射光量を十分に確保するようにした指示計器を提供することを目的とする。
【０００６】
【課題を解決するための手段】
上記課題の解決にあたり、請求項１に記載の発明に係る指示計器は、略円弧状パターン表示部（１１、１２）を外周部に形成するとともにこの外周部を中央部（１３、１４）から傾斜状に表面側へ隆起形成してなる目盛り盤（１０ａ、１０ｂ）と、この目盛り盤の裏面に沿い設けられた第１導光板（２０）と、目盛り盤の外周部と第１導光板の当該外周部に対する対応部との間に介装された第２導光板（３０）と、回動内機（６０）から第１導光板及び目盛り盤の各貫通穴部（２１、１５）を通り延出する指針軸（６２）の先端部に目盛り盤の表面に沿い回動するように回動基部（７１）にて支持される発光指針（７０）と、第１導光板の端面側において第２導光板の裏面側に配置されて第１及び第２の導光板の双方に光を入射する光源（５０、５０ａ）とを備え、第２導光板は、目盛り盤の中央部とパターン表示部のうちパターン表示部の裏面にのみ配置されている。
【０００７】
そして、第１導光板は、その入射光を上記各貫通穴部を通して発光指針内にその回動基部から入射し、第２導光板は、その入射光を目盛り盤のパターン表示部に入射し、発光指針は、その回動基部内への入射光に基づき発光する。
【０００８】
このように、第２導光板内の光を目盛り盤のパターン表示部に入射することで、第１導光板内の光を目盛り盤のパターン表示部に入射することなく発光指針への入射光として利用する。従って、第１導光板内の光は良好に発光指針まで届く。よって、発光指針の発光輝度を良好に確保できる。
【０００９】
また、請求項２に記載の発明に係る指示計器は、パターン表示部（１１、１２）を外周部に形成するとともにこの外周部を中央部（１３、１４）から傾斜状に表面側へ隆起形成してなる目盛り盤（１０ａ、１０ｂ）と、この目盛り盤の裏面に沿い設けられた第１導光板（２０）と、目盛り盤の外周部と第１導光板の当該外周部に対する対応部との間に介装された第２導光板（３０）と、回動内機（６０）から第１導光板及び目盛り盤を通り延出する指針軸（６２）の先端部に目盛り盤の表面に沿い回動するように支持される発光指針（７０）と、目盛り盤の裏面側に配置されて第１及び第２の導光板の双方に光を入射する光源（５０、５０ａ）とを備え、第２導光板は、目盛り盤の中央部とパターン表示部のうちパターン表示部の裏面にのみ配置されている。
【００１０】
そして、第１導光板は、その入射光を、目盛り盤の中央部及び発光指針の少なくとも一つに入射し、第２導光板は、その入射光を目盛り盤のパターン表示部に入射する。
【００１１】
このように、第２導光板内の光を目盛り盤のパターン表示部に入射することで、第１導光板内の光を目盛り盤のパターン表示部に入射することなく目盛り盤の中央部及び発光指針の少なくとも１つへの入射光として利用する。従って、第１導光板内の光は良好に目盛り盤の中央部及び発光指針の少なくとも１つまで届く。よって、目盛り盤の中央部及び発光指針の少なくとも１つの発光輝度を良好に確保できる。
【００１２】
また、請求項３に記載の発明に係る指示計器は、パターン表示部（１１、１２）を外周部に形成するとともにこの外周部を中央部（１３、１４）から傾斜状に表面側へ隆起形成してなる目盛り盤（１０ａ、１０ｂ）と、この目盛り盤の裏面に沿い設けられた第１導光板（２０）と、目盛り盤の外周部と第１導光板の当該外周部に対する対応部との間に介装された第２導光板（３０）と、回動内機（６０）から第１導光板及び目盛り盤を通り延出する指針軸（６２）の先端部に目盛り盤の表面に沿い回動するように支持される発光指針（７０）と、目盛り盤の裏面側に配置されて第１及び第２の導光板の双方に光を入射する光源（５０、５０ａ）と、目盛り盤の裏面側に配置されて当該目盛り盤の開口部に対向する走行距離計の液晶パネル（１０ｄ）とを備え、第２導光板は、目盛り盤の中央部とパターン表示部のうちパターン表示部の裏面にのみ配置されている。
【００１３】
そして、第１導光板は、その入射光を、目盛り盤の中央部、発光指針及び液晶パネルの少なくとも１つに入射し、第２導光板は、その入射光を目盛り盤のパターン表示部に入射する。
【００１４】
このように、第２導光板内の光を目盛り盤のパターン表示部に入射することで、第１導光板内の光を目盛り盤のパターン表示部に入射することなく目盛り盤の中央部、発光指針及び液晶パネルの少なくとも１つへの入射光として利用する。従って、第１導光板内の光は良好に目盛り盤の中央部、発光指針及び液晶パネルの少なくとも１つまで届く。よって、目盛り盤の中央部、発光指針及び液晶パネルの少なくとも１つの発光輝度を良好に確保できる。
【００１５】
また、請求項１乃至３に記載の発明では、第１及び第２の導光板の間には反射シート（４０）が介装されている。
【００１６】
これによれば、反射シートが、第１導光板内の光を当該第１導光板内に反射するとともに第２導光板内の光を当該第２導光板内に反射する。従って、第１及び第２の導光板内の各光の利用率を高めることができる。
【００１７】
また、請求項４に記載の発明によれば、請求項１乃至３のいずれか１つに記載の指示計器において、目盛り盤の中央部には透光性パターン部（１３ａ、１４ａ）が形成され、反射シートは透光性パターン部に対向して開口部（４１）を備えており、第１導光板はその光を反射シートの開口部を通して透光性パターン部に入射する。
【００１８】
これにより、請求項１乃至３のいずれか１つに記載の発明の作用効果を確保しつつ、目盛り盤の中央部に形成した透光性パターン部の照明をも確保できる。
【００１９】
【発明の実施の形態】
以下、本発明の一実施形態を図面に基づき説明する。
【００２０】
図１及び図２は、本発明が適用された車両用指針計器の一実施形態を示しており、この指針計器は、当該車両の車室内に設けたインストルメントパネルに配設されている。
【００２１】
この指針計器は、図２にて示すごとく、計器板ユニットＵを備えており、この計器板ユニットＵは、計器板１０、導光板２０及び左右両側導光板３０及び左右両側反射シート４０（図２では左側反射シート４０のみを示す）とにより構成されている。
【００２２】
計器板１０は、図１にて示すごとく、左右両側目盛り盤１０ａ、１０ｂを備えており、これら両目盛り盤１０ａ、１０ｂには、それぞれ、各略円環状パターン表示部１１、１２が形成されている。
【００２３】
ここで、略円環状パターン表示部１１は、目盛り盤１０ａの外周部に位置し、その表面にて、透明の目盛り１１ａ及び文字１１ｂを除き黒色に形成されている。ここで、目盛り盤１０ａの外周部である略円環状パターン表示部１１は、図２にて示すように、目盛り盤１０ａのうち略円環状パターン表示部１１を除く部分、即ち目盛り盤１０ａの中央部１３から表面側へ隆起形成されている。なお、目盛り盤１０ａの中央部１３はその表面にて灰色に形成されている。
【００２４】
また、略円環状パターン表示部１２は、目盛り盤１０ｂの外周部に位置し、その表面にて、透明の目盛り１２ａ及び文字１２ｂを除き黒色に形成されている。ここで、目盛り盤１０ｂの外周部である略円環状パターン表示部１２は、目盛り盤１０ａと同様に、目盛り盤１０ｂのうち略円環状パターン表示部１２を除く部分、即ち目盛り盤１０ａの中央部１４から表面側へ隆起形成されている。なお、目盛り盤１０ｂの中央部はその表面にて灰色に形成されている。
【００２５】
なお、パターン表示部１１は当該車両の車速を表すパターンであり、パターン表示部１２は当該車両のエンジンの回転数を表すパターンである。また、図１にて符号１０ｃは、インジケータ部を示しており、このインジケータ部１０ｃは当該車両のオートマチックトランスミッションの変速位置を表示する。
【００２６】
導光板２０及び左右両側導光板３０は、共に、透明のアクリル樹脂やポリカーボネード等の導光材料により形成されている。導光板２０は、計器板１０の裏面に沿い両目盛り盤１０ａ、１０ｂに亘るように装着されている。
【００２７】
導光板２０は、左右両貫通穴部２１（図２では左側貫通穴部２１のみを示す）を備えており、この左側貫通穴部２１は、左側目盛り盤１０ａの貫通穴部１５（図１及び図２参照）と同軸的に位置している。
【００２８】
ここで、左側貫通穴部２１は、図２にて示すごとく、下方に向け末広がり状に形成されて、断面テーパ状の反射壁２１ａを形成している。一方、導光板２０の右側貫通穴部２１は、右側目盛り盤１０ｂの貫通穴部１６（図１参照）と同軸的に位置している。なお、右側貫通穴部２１も、左側貫通穴部２１と同様の形状に形成されている。導光板２０の裏面には反射膜が形成されている。
【００２９】
左側導光板３０は、図２にて示すごとく、左側反射シート４０と共に、左側目盛り盤１０ａと導光板２０との間に介装されている。当該左側導光板３０は、図１から容易に分かるように、円弧状内周部３１を備えており、この内周部３１は、図２にて示すごとく、左側目盛り盤１０ａのパターン表示部１１と左側反射シート４０の外周部との間に密着してはまるように、断面三角形状に形成されている。
【００３０】
また、左側導光板３０は、図１及び図２にて示すごとく、円弧状内周壁３１から直線状冷陰極放電管５０の左側部上に延在している。なお、右側導光板３０も右側目盛り盤１０ｂと導光板２０との間にて、右側反射シート４０と共に、左側導光板３０と同様の構成にて当該左側導光板３０と同様に介装されている。
【００３１】
冷陰極放電管５０は、導光板２０の端面２１に沿い図１にて図示左右方向に配設されている。この冷陰極放電管５０は、その左側部にて、左側導光板３０の導光板２０の端面２１からの延出部にその裏面側に沿って位置し、また、その右側部にて、右側導光板３０の導光板２０の端面２１からの延出部にその裏面側に沿って位置している。
【００３２】
これにより、冷陰極放電管５０は、その点灯により、導光板２０にその端面２１から光を入射するとともに、左右両側導光板３０にその各延出部裏面から光を入射する。このことは、導光板２０の左側部はその入射光を導光し、反射壁２１ａにて左側目盛り盤１０ａの貫通穴部１５を通して反射することを意味する。なお、このようなことは導光板２０の右側部への入射光に対する場合も同様である。
【００３３】
左側反射シート４０は、左側目盛り盤１０ａの中央部１３及び左側導光板３０の内周部３１と導光板２０の左側部との間に介装されており、この左側反射シート４０は、導光板２０の左側部内の光を当該左側部内に向けて反射するとともに、左側導光板３０内の光をその内部に向けて反射する。右側反射シート４０は、右側目盛り盤１０ｂの中央部１４及び右側導光板３０の内周部３１と導光板２０の右側部との間に介装されており、この右側反射シート４０は、導光板２０の右側部内の光を当該右側部内に向けて反射するとともに、右側導光板３０内の光をその内部に向けて反射する。
【００３４】
また、左側反射シート４０は、開口部４１を備えており、この開口部４１は左側目盛り盤１０ａの中央部１３の表面に形成した車速単位表示部１３ａ（図１参照）に対向している。これにより、導光板２０の左側部内の光の一部は左側反射シート４０の開口部４１を通り左側目盛り盤１０ａの透明の車速単位表示部１３ａを透過する。なお、車速単位表示部１３ａは、左側目盛り盤１０ａの中央部１３の表面を切り抜くことで形成されている。
【００３５】
一方、右側反射シート４０も、同様に、開口部４１に相当する開口部を備えており、この開口部は右側目盛り盤１０ｂの中央部１４の表面に形成した速度単位表示部１４ａに対向している。これにより、導光板２０の右側部内の光の一部は右側反射シート４０の開口部を通り右側目盛り盤１０ｂの透明の速度単位表示部１４ａを透過する。なお、速度単位表示部１４ａは、右側目盛り盤１０ｂの中央部１４の表面を切り抜くことで形成されている。なお、走行距離計の液晶パネル１０ｄは、図１及び図２にて示すごとく、左側目盛り盤１０ａの中央部１３に形成した開口部１３ｂに対向して配設されている。
【００３６】
また、指針計器は、左右両側回動内機６０（図２では左側回動内機６０のみを示す）を備えており、これら各回動内機６０は、その装置本体６１にて、各目盛り盤１０ａ、１０ｂに対応する位置にて、ケーシング（図示しない）の底壁に装着されている。
【００３７】
左側回動内機６０は、図２にて示すごとく、指針軸６２を備えており、この指針軸６２は、装置本体６１から導光板２０の左側貫通穴部２１を通り回動可能に延出している。なお、右側回動内機６０も、左側回動内機６０と同様に構成されている。
【００３８】
左側発光指針７０は、図２にて示すごとく、長手状指針本体７０ａと、キャップ７０ｂとを備えている。指針本体７０ａは、回動基部７１と、この回動基部７１から一体に延出する長手状指針部７２とを有するように、透光性樹脂材料により形成されており、この指針本体７０ａは、その回動基部７１のボス７１ａにて、左側指針軸６２の先端部に同軸的に支持されている。
【００３９】
そして、指針本体７０ａは、回動基部７１内にその裏面から入射する光を、回動基部７１の傾斜状反射壁７１ｂにより反射して指針本体７２内にその先端部に向けて進行させる。なお、キャップ７０ｂは、指針本体７０ａの回動基部７１を上方から覆い遮光する役割を果たす。また、右側発光指針７０も、左側発光指針７０と同様に構成されている。また、目盛り盤ユニットＵ、冷陰極放電管５０及び各回動内機６０は、上記ケーシングにより下方から収容されている。また、図１及び図２にて各符号８０、９０は、それぞれ、見返し板及びフロントパネルを示す。
【００４０】
以上のように構成した本実施形態において、冷陰極放電管５０が点灯すると、この冷陰極放電管５０の光は、導光板２０内にその端面２１から入射すると共に左右両側導光板３０内にその各延出部裏面から入射する。
【００４１】
以下、図２の導光板２０の左側部及び左側導光板３０内への入射光に着目すると、導光板２０の左側部はその入射光を左側貫通穴部２１に向けて導光する。このように導光される光は、その一部にて、左側反射シート４０の開口部４１を通り左側目盛り盤１０ａの車速単位表示部１３ａを透過し、残りの部分にて、左側貫通穴部２１の反射壁２１ａにより反射されて左側目盛り盤１０ａの貫通穴部１５を通り左側発光指針７０の回動基部７１に入射する。
【００４２】
これに伴い、左側発光指針７０においては、指針本体７０ａの回動基部７１に入射した光が、反射壁７１ｂにより反射されて指針部７２内に進み当該指針部７２を発光させる。また、左側導光板３０内に入射した光は、左側目盛り盤１０ａのパターン表示部１１の目盛り１１ａや文字１１ｂを透過する。
【００４３】
このように、左側導光板３０内の光を左側目盛り盤１０ａのパターン表示部１１に入射することで、導光板２０の左側部内の光を、左側目盛り盤１０ａのパターン表示部１１への入射光として利用することなく、主として左側発光指針７０への入射光として利用するようにしたので、導光板２０の左側部内の光は十分な光量でもって良好に左側貫通穴部２１の反射壁２１ａまで届く。従って、左側発光指針７０の発光輝度を良好に確保できる。
【００４４】
ここで、導光板２０の左側部内の光は左側反射シート４０の開口部４１以外の部分により導光板２０の左側部内に反射されるので、当該左側部内の光が左側導光板３０内に漏洩することがない。従って、導光板２０の左側部内の光は、車速単位表示部１３ａ及び左側発光指針７０のための光として効率よく使用され得る。よって、左側発光指針７０の発光輝度をより一層良好に確保できる。また、左側導光板３０内の光は、左側反射シート４０の外周部により当該左側導光板３０内に向けて反射されるので、この左側導光板３０内の光が導光板２０の左側部内に漏洩することがない。よって、左側目盛り盤１０ａのパターン表示部１１の目盛り１１ａ及び文字１１ｂの発光輝度を良好に確保できる。
【００４５】
図３は上記実施形態の変形例を示している。この変形例においては、コ字状の左右両側冷陰極放電管５０ａが上記実施形態にて述べた冷陰極放電管５０に代えて採用されている。
【００４６】
ここで、左側冷陰極放電管５０ａは、左側導光板３０の裏面外周に沿い配置されており、この左側冷陰極放電管５０ａは、上記実施形態にて述べた冷陰極放電管５０の左側部に代えて導光板２０の左側部及び左側導光板３０に光を入射する。また、右側冷陰極放電管５０ａは、右側導光板３０の裏面外周に沿い配置されており、この右側冷陰極放電管５０ａは、冷陰極放電管５０の右側部に代えて導光板２０の右側部及び右側導光板３０に光を入射する。なお、各冷陰極放電管５０ａの両腕部はこれらに対応する位置にて導光板２０に形成した切り欠き部内に位置している。その他の構成は上記実施形態と同様である。
【００４７】
このように構成した本変形例では、左右両側冷陰極放電管５０ａが、冷陰極放電管５０に代えて、導光板２０及び左右両側導光板３０内に光を入射するので、上記実施形態と同様の作用効果を達成できる。
【００４８】
なお、本発明の実施にあたり、導光板２０の左側部内の光は、走行距離計の液晶パネル１０ｄのバックライトとしてさらに兼用するようにしてもよい。
【００４９】
また、本発明の実施にあたり、発光指針７０の入射光は、導光板２０からとるのではなく、発光指針７０に内蔵の光源からとるようにしてもよい。
【００５０】
また、上記実施形態では、目盛り盤１０ａが、目盛り、文字、車速単位表示部を透明にし、残りの部分を不透明とするように形成されているが、これとは逆に、目盛り盤１０ａが目盛り、文字、車速単位表示部を不透明にし、残りの部分を透明とするように形成されていてもよい。
【００５１】
また、本発明の実施にあたり、発光指針を有する車両用指示計器に限ることなく、発光指針を有する船舶や航空機用指示計器その他各種の発光指針を有する計器に本発明を適用しても、上記実施形態と同様の作用効果を達成できる。
【図面の簡単な説明】
【図１】本発明に係る車両用指針計器の一実施形態を示す部分破断平面図である。
【図２】図１にて２−２線に沿う断面図である。
【図３】上記実施形態の変形例を示す部分破断平面図である。
【符号の説明】
１０ａ、１０ｂ…目盛り盤、１０ｃ…インジケータ部、
１１、１２…パターン表示部、１３、１４…目盛り盤の中央部、
１３ａ…車速単位表示部、１４ａ…速度単位表示部、
１５、２１…貫通穴部、２０、３０…導光板、４０…反射シート、
５０、５０ａ…冷陰極放電管、６０…回動内機、６２…指針軸、
７０…発光指針、７１…回動基部。
【図１】
0004078759.tif 000002
【図２】
0004078759.tif 000003
【図３】
0004078759.tif 000004